(57)【要約】【課題】人感センサと明るさセンサを共に備えた電源制御装置において、電源オン／オフの誤動作を抑える方法を得る。【解決手段】上記課題を解決するために、本発明の電源制御装置は、周囲の明るさを検出する光検出器１、人の存在を検知する人検知器４、光検出器の検出結果が比較的低い第１レベル以下であることおよび比較的高い第２レベル以上であることを判別する判別手段２，３、人検知器の検知結果と判別手段の判別結果とに応じてテレビ受像機の電源を制御する電源制御手段５を備えて構成される。【選択図】  図１
2008252526.tif 000002
【特許請求の範囲】
【請求項１】
周囲の明るさを検出する光検出器と、
人の存在を検知する人検知器と、
前記光検出器の検出結果が比較的低い第１レベル以下であることおよび比較的高い第２レベル以上であることを判別する判別手段と、
前記人検知器の検知結果と前記判別手段の判別結果とに応じて機器の電源を制御する電源制御手段と、
を備える電源制御装置。
【請求項２】
前記第１レベルは部屋が暗い状態に対応し、前記第２レベルは部屋が明るい状態に対応する、請求項１に記載の電源制御装置。
【請求項３】
前記第１レベルおよび前記第２レベルは調整可能に設定される、請求項１または請求項２に記載の電源制御装置。
【請求項４】
前記第１レベルおよび前記第２レベルの組み合わせは予め複数設定され、そのうち任意のものを使用可能である、請求項１または請求項２に記載の電源制御装置。
【発明の詳細な説明】
【技術分野】
【０００１】
本発明は、テレビ受像機等の機器における電源制御装置に関する。
【背景技術】
【０００２】
従来の人検知器（人感センサ）を用いたテレビ受像機として、子供が近距離でテレビ受像機の映像を視聴するのを防止する目的で、子供がある一定の距離まで近づくと電源をオフし、離れると電源をオンするものが特許文献１にて開示されている。
【０００３】
また、照明装置において、光検出器による検出結果に応じて、人検知器による制御をオンにすることで、例えば室内が暗いと判断した場合に、人検知器により人がいるかどうかを判断した上で、照明の電源をオンにする電源制御装置が、特許文献２にて開示されている。
【０００４】
【特許文献１】特開平８−６５５９９号公報
【特許文献２】特開２０００−６８０７６号公報
【発明の開示】
【発明が解決しようとする課題】
【０００５】
上記のような、特許文献１に係る電源制御装置においては、人検知器のみより電源を制御するので、明るさの情報を加味することなく、テレビ受像機の電源がオンしてしまうという点が課題であった。また、特許文献２に係る電源制御装置においては、人検知器と光検出器を共に備えて制御する点で、上記課題は解決されているが、光検出器の設定値（明るさの閾値）は１つであり、閾値をまたがる誤動作により、電源のオン／オフ状態が繰り返される場合があるほか、薄暗い手元照明が照射された場合にも電源がオン状態になってしまう課題があった。
【０００６】
この発明はこのような課題を解決するためになされたもので、人検知器と光検出器を共に備えた電源制御装置において、電源オン／オフの誤動作を抑えることを目的としている。
【課題を解決するための手段】
【０００７】
上記課題を解決するために、本発明の電源制御装置は、周囲の明るさを検出する光検出器、人の存在を検知する人検知器、光検出器の検出結果が比較的低い第１レベル以下であることおよび比較的高い第２レベル以上であることを判別する判別手段、人検知器の検知結果と判別手段の判別結果とに応じて機器の電源を制御する電源制御手段を備えて構成される。
【発明の効果】
【０００８】
本発明の効果として、明るさが変化した場合に、所定の閾値をまたがって、電源のオン／オフが繰り返されたり、照明器具の前を何かが横切った場合等に起こる明るさ変化に対して誤動作を起こしたりすることがなく、照明が点灯中であり且つ人が存在している場合に確実にテレビ受像機等の機器の電源をオンすることができる。
【発明を実施するための最良の形態】
【０００９】
以下、この発明をその実施の形態を示す図面に基づいて具体的に説明する。
【００１０】
＜実施の形態１＞
（構成）
図１は、本実施の形態に係る電源制御装置の構成図である。
【００１１】
周囲の明るさを検出する光検出器１が、第１レベルの明るさ判別手段２（本実施の形態において、以下「手段２」とする）、第２レベルの明るさ判別手段３（本実施の形態において、以下「手段３」とする）と接続されている。光の明るさの検出値について、第１レベルは比較的低い値、第２レベルは比較的高い値を示し、手段２は、光の検出値が第１レベルの値以下であるか、手段３は、光の検出値が第２レベル以上であるかの判別を行う。
【００１２】
電源オン検出手段５は、より具体的にはメモリ、タイマ、ＣＰＵを備えたマイコンであり、手段２、手段３、人の存在の有無を検知する人検知器４、及び電源制御手段６と接続されており、手段２、手段３、人検知器４からの入力信号を元に処理を行い、電源制御手段６へ信号を出力する。
【００１３】
電源制御手段６は、電源オン検出手段５および受像回路７と接続され、電源オン検出手段５からの信号を元に受像回路７のオン／オフの制御を行う。
【００１４】
（動作）
次に動作の説明を行う。
【００１５】
テレビ受像機がスタンバイ中に常時、以下のように部屋の明るさが監視される。まず、部屋の明るさは例えばフォトセンサなどの光検出器１によって検出され、明るさに応じた電圧値として出力される。出力された電圧値は手段２と手段３に読み込まれる。
【００１６】
手段２について、明るさがある閾値より暗ければ、電源オン検出手段５へのポート出力信号はＨレベルとなり、それ以外のときはＬレベルとなる。すなわち、部屋の明るさが第１レベルの明るさの閾値ａ（Ｖ）以下であれば出力はＨレベルとなり、部屋が暗い状態が検出される。また、手段３について、明るさがある閾値より明るければ、電源オン検出手段５へのポート出力信号はＨレベルとなり、それ以外のときはＬレベルとなる。すなわち、部屋の明るさが第２レベルの明るさの閾値ｂ（Ｖ）以上であれば出力はＨレベルとなり、部屋が明るい状態が検出される。
【００１７】
図２は、電源オン検出手段５における処理を示す図である。ステップＳ１において、手段２からの第１レベルの明るさ判別信号が入力され、ステップＳ２において、手段３からの第２レベルの明るさ判別信号が入力される。ステップＳ３において、手段２および手段３からのポート入力信号が、例えば、ある決められた所定時間Ｔ１内に、同時にＨレベルとなっている場合、部屋の明るさが変化したと検出される。すなわち、部屋の照明が点灯されたか、あるいはカーテンが開けられたことになる。
【００１８】
ステップＳ４では、人検知器４から人の存在を検知する信号が入力される。人検知器４について、人がいると判断されたとき、電源オン検出手段５へのポート出力信号はＨレベルとなり、それ以外のときはＬレベルとなる。例えば、電源オン検出手段５によって、部屋の明るさが変化したと判断された後、所定時間Ｔ２内に人検知器４からポート入力信号をＨレベルにする信号を受けた場合、ステップＳ５に進み電源制御手段６に電源をＯＮする命令が出力され、テレビ受像器がオンとなる。
【００１９】
（効果）
光の明るさの判別値として、第１レベルの比較的低い値と、第２レベルの比較的高い値を使用することにより、明るさが変化した場合に、所定の閾値をまたがって、電源のオン／オフが繰り返されたり、照明器具の前を何かが横切った場合等に起こる明るさ変化に対して誤動作を起こしたりすることがなく、照明が点灯中であり且つ人が存在している場合に、確実にテレビ受像機の電源をオンすることができる。
【００２０】
本発明の活用例として、テレビ受像機、モニターのほかに、据え置き型のプリンター、パソコンなどの情報処理装置等の機器や、テレビ受像機に接続されるＤＶＤ，チューナなどの周辺機器にも適用できる。
【００２１】
＜実施の形態２＞
（構成）
図３は、本実施の形態に係る電源制御装置の構成図である。フォトセンサ等からなる光検出器１は、Ａ／Ｄ変換器８に接続され、Ａ／Ｄ変換器８は、メモリ、タイマ、ＣＰＵを備えたマイコン１１に接続されている。マイコン１１内のメモリには、明るさの比較的低い第１レベルの値、比較的高い第２レベルの値が保存されており、任意に書き換えが可能である。
【００２２】
人検知器４はＡ／Ｄ変換器９に接続され、Ａ／Ｄ変換器９はマイコン１１に接続されている。マイコン１１はさらに受像回路７に接続されている。
【００２３】
（動作）
次に動作の説明を行う。
【００２４】
あらかじめ、明るさの比較的低い第１レベルの値、および比較的高い第２レベルの値が使用者により設定され、マイコン１１内のメモリに保存される。
【００２５】
部屋の明るさは光検出器１によって電圧値として出力され、Ａ／Ｄ変換器８によりデジタル信号に変換され出力される。Ａ／Ｄ変換器８から出力されたデジタル信号はマイコン１１に入力され、マイコン１１において、以下に示す処理が行われる。なお、以下に示す処理は、実施の形態１で示した、第１レベルの明るさ判別手段２、第２レベルの明るさ判別手段３、電源オン検出手段５、電源制御手段６にて行われる処理と同様であり、これらの処理がまとめてマイコン１１にて行われる。
【００２６】
まず、光検出器１よりＡ／Ｄ変換器８を介して入力されるデジタル信号について、光の検出値が第１レベル以下であるか、または第２レベル以上であるかの判別が行われ、結果が保存される。
【００２７】
決められた所定時間Ｔ１内において、部屋の明るさが第１レベル以下および第２レベル以上であるという結果が共に存在するかが判断され、存在すれば部屋の明るさが変化したと判断される。
【００２８】
上記の判断がされた後、人検知器４内によって感知された人の存在の有無を示す信号が、Ａ／Ｄ変換器９によりデジタル信号に変換されマイコン１１に入力される。人の存在が検知されれば、受像回路７に制御信号が出力され、受像回路７がオンとなる。
【００２９】
（効果）
光検出器１および人検知器４の出力信号をデジタル信号に変換することにより、第１レベルおよび第２レベルの明るさの判別をマイコン１１にて行うことができ、判別に使われる明るさレベルの値として、マイコン１１内のメモリに保存された、任意に調整が可能な値を使用することが出来る。
【００３０】
テレビ受像機の設置場所により、窓の向き、カーテンの厚み等が異なり、それに伴いテレビ受像機の光検出器１が受ける照度が異なる場合に、環境にあわせて調整が可能となる。
【００３１】
＜実施の形態３＞
（構成）
本実施の形態に係る電源制御装置の構成図は、実施の形態２で示した図３のマイコン１１について、明るさの比較的低い第１レベルの値および比較的高い第２レベルの値が、複数設定可能となっている。その他の構成は実施の形態２と同様であるため、説明を省略する。
【００３２】
（動作）
次に動作の説明を行う。
【００３３】
あらかじめ、マイコン１１において、明るさの比較的低い第１レベルの値および比較的高い第２レベルの値が複数設定されており、テレビ受像機が設置された部屋の時間帯等に合わせて、使用者により任意に設定値が選択される。保存されている第１レベルの値、および第２レベルの値は、使用者により変更が可能である。
【００３４】
その後の処理である、光検出器１、人検知器４からの信号がマイコン１１に入力され、受像回路７を動作させるまでの過程は、実施の形態２と同様であるため、説明を省略する。
【００３５】
（効果）
テレビ受像機の設置場所が固定されていても、設置場所の朝、昼、夜の時間経過等に伴い照度が変わる場合に、明るさレベルが複数設定されていることにより、照度にあわせて設定値を容易に変更することができる。
【図面の簡単な説明】
【００３６】
【図１】本発明の実施の形態１に係る電源制御装置の構成を示すブロック図である。
【図２】本発明の実施の形態１に係る電源オン検出手段の処理を示すフローチャートである。
【図３】本発明の実施の形態２、３に係る電源制御装置の構成を示すブロック図である。
【符号の説明】
【００３７】
１  光検出器、２  第１レベルの明るさ判別手段、３  第２レベルの明るさ判別手段、４  人検知器、５  電源オン検出手段、６  電源制御手段、７  受像回路。
【図１】
2008252526.tif 000003
【図２】
2008252526.tif 000004
【図３】
2008252526.tif 000005